(57)【要約】【課題】必要充分な品質で、できるだけ遅延なく携帯端末が出力するナビゲーション用画像を表示できる「車載装置」を提供する。【解決手段】アナログビデオ出力とデジタルビデオ出力の双方からナビゲーション用画像を出力する携帯端末１に接続する車載装置３において、ナビゲーション用画像のスクロール表示中は無条件にアナログビデオ出力が表すナビゲーション用画像を表示する。スクロール表示中でない期間中は、交差点拡大図の表示中や広域地図表示中など、ユーザがナビゲーション画像の細部を把握しようとする蓋然性が大きい場合のみ、デジタルビデオ出力が表すナビゲーション用画像を表示する。【選択図】図２
2012078316.tif 000002
【特許請求の範囲】
【請求項１】
地図上で現在位置を表すナビゲーション用画像を生成するナビゲーション機能を備え、前記ナビゲーション機能が生成したナビゲーション用画像を表すアナログビデオ信号と、前記ナビゲーション用画像を前記アナログビデオ信号よりも高解像度で表すデジタルビデオデータとを出力する携帯端末を接続する車載装置であって、
表示装置と、
前記アナログビデオ信号と前記デジタルビデオデータの一方を表示ソースとして選択し、前記表示ソースが表すナビゲーション用画像を前記表示装置に表示する選択手段と、
前記選択手段において、前記アナログビデオ信号と前記デジタルビデオデータのいずれを前記表示ソースとして選択するかを、前記ナビゲーション用画像の内容に応じて制御する選択制御手段とを有することを特徴とする車載装置。
【請求項２】
請求項１記載の車載装置であって、
前記携帯端末のナビゲーション機能は、設定された目的地までの経路に従って走行する場合に右左折すべき交差点に接近したときに、当該交差点のようすを前記地図よりも拡大して表した交差点拡大画像を含めた前記ナビゲーション用画像を生成し、
前記選択制御手段は、前記ナビゲーション用画像が前記交差点拡大画像を含む場合に、前記表示ソースとして前記デジタルビデオデータを選択するように前記選択手段を制御することを特徴とする車載装置。
【請求項３】
請求項１または２記載の車載装置であって、
前記携帯端末のナビゲーション機能は、ユーザの縮尺変更操作に応じて、前記ナビゲーション用画像の地図の縮尺を変更し、
前記選択制御手段は、前記ナビゲーション用画像の地図の縮尺が所定の縮尺より小さい場合に、前記表示ソースとして前記デジタルビデオデータを選択するように前記選択手段を制御することを特徴とする車載装置。
【請求項４】
請求項１、２または３記載の車載装置であって、
前記携帯端末のナビゲーション機能は、ユーザのスクロール操作に応じて、前記ナビゲーション用画像の地図をスクロールするスクロール表示処理を行い、
前記選択制御手段は、前記ナビゲーション用画像の前記スクロール表示処理が行われている期間中、無条件に、前記表示ソースとして前記アナログビデオ信号を選択するように前記選択手段を制御することを特徴とする車載装置。
【請求項５】
地図上で現在位置を表すナビゲーション用画像を生成するナビゲーション機能を備え、前記ナビゲーション機能が生成したナビゲーション用画像を表すアナログビデオ信号と、前記ナビゲーション用画像を前記アナログビデオ信号よりも高解像度で表すデジタルビデオデータとを出力する携帯端末を接続する車載装置であって、
表示装置と、
前記アナログビデオ信号と前記デジタルビデオデータの一方を表示ソースとして選択し、前記表示ソースが表すナビゲーション用画像を前記表示装置に表示する選択手段と、
前記携帯端末のナビゲーション機能に対するユーザ操作が発生した後、所定の期間、前記表示ソースとして前記デジタルビデオデータを選択するように前記選択手段を制御する選択制御手段とを有することを特徴とする車載装置。
【請求項６】
地図上で現在位置を表すナビゲーション用画像を生成するナビゲーション機能を備え、前記ナビゲーション機能が生成したナビゲーション用画像を表すアナログビデオ信号と、前記ナビゲーション用画像を前記アナログビデオ信号よりも高解像度で表すデジタルビデオデータとを出力する携帯端末を接続する車載装置であって、
オーディオデータが表す音声を出力するオーディオ出力手段と、
表示装置と、
前記アナログビデオ信号と前記デジタルビデオデータの一方を表示ソースとして選択し、前記表示ソースが表すナビゲーション用画像を前記表示装置に表示する選択手段と、
前記オーディオ出力手段が音声を出力している期間中、前記表示ソースとして前記アナログビデオ信号を選択するように前記選択手段を制御する選択制御手段とを有することを特徴とする車載装置。
【発明の詳細な説明】
【技術分野】
【０００１】
本発明は、車載装置において、外部装置で生成された地図上に現在位置等を表したナビゲーション用画像を表示する技術に関するものである。
【背景技術】
【０００２】
従来より、経路案内を行うナビゲーション機能を備えた携帯端末が知られている（たとえば、特許文献１）。ここで、この特許文献１の携帯端末のナビゲーション機能は、携帯端末の周辺の地図上に携帯端末の現在位置や目的地までの経路を表す画像を、ユーザの経路案内を行うナビゲーション用画像として表示するものである。
【０００３】
また、表示装置を備えた車載装置と前述した携帯端末とを接続して、車載装置の表示装置を携帯端末のナビゲーション機能の表示出力に用いることにより、携帯端末のナビゲーション機能のユーザインタフェースの視認性を向上する技術も知られている（たとえば、特許文献２）。
【先行技術文献】
【特許文献】
【０００４】
【特許文献１】特開2009-20070号公報
【特許文献２】特開2009-145158号公報
【発明の概要】
【発明が解決しようとする課題】
【０００５】
さて、上述したようなナビゲーション機能を備えた携帯端末を車載装置に接続して利用するときには、携帯端末がナビゲーション用画像を表す映像信号を出力し、車載装置において、携帯端末が出力した映像を当該車載装置が備える表示装置に表示することとなる。
【０００６】
また、このとき、携帯端末がナビゲーション用画像を表す映像信号として、ナビゲーション用画像を表すアナログビデオ信号と、ナビゲーション用画像を表すデジタルビデオデータの双方を出力するものであった場合には、車載装置において、アナログビデオ信号が表す映像と、デジタルビデオデータが表す映像のどちらか一方を、当該車載装置が備える表示装置に表示することとなる。
【０００７】
ここで、一般的に、携帯端末から出力されるデジタルビデオデータが表す映像は、携帯端末から出力されるアナログビデオ信号が表す映像よりも高解像度である一方で、デジタルビデオデータの伝送や処理は、アナログビデオ信号の伝送や処理よりも車載装置における負荷が大きくなる。
【０００８】
そして、このために、車載装置において、アナログビデオ信号が表す映像を表示装置に表示する場合には、高品質のナビゲーション用画像を表示することができず、車載装置において、デジタルビデオデータが表す映像を表示装置に表示する場合には、ナビゲーション用画像の表示に遅延が生じたり、車載装置において行う他の処理に悪影響を及ぼすことがある。
【０００９】
そこで、本発明は、ナビゲーション機能を備えた携帯端末を車載装置に接続して利用する際に、必要充分な品質でナビゲーション用画像を表示しつつ、当該ナビゲーション用画像の表示に遅延が生じないようにすることを課題とする。
【課題を解決するための手段】
【００１０】
前記課題達成のために、本発明は、地図上で現在位置を表すナビゲーション用画像を生成するナビゲーション機能を備え、前記ナビゲーション機能が生成したナビゲーション用画像を表すアナログビデオ信号と、前記ナビゲーション用画像を前記アナログビデオ信号よりも高解像度で表すデジタルビデオデータとを出力する携帯端末を接続する車載装置に、表示装置と、前記アナログビデオ信号と前記デジタルビデオデータの一方を表示ソースとして選択し、前記表示ソースが表すナビゲーション用画像を前記表示装置に表示する選択手段と、前記選択手段において、前記アナログビデオ信号と前記デジタルビデオデータのいずれを前記表示ソースとして選択するかを、前記ナビゲーション用画像の内容に応じて制御する選択制御手段とを備えたものである。
【００１１】
ここで、より具体的には、たとえば、このような車載装置は、前記携帯端末のナビゲーション機能が、設定された目的地までの経路に従って走行する場合に右左折すべき交差点に接近したときに、当該交差点のようすを前記地図よりも拡大して表した交差点拡大画像を含めた前記ナビゲーション用画像を生成するものである場合には、前記選択制御手段において、前記ナビゲーション用画像が前記交差点拡大画像を含む場合に、前記表示ソースとして前記デジタルビデオデータを選択するように前記選択手段を制御するように構成することができる。
【００１２】
また、たとえば、このような車載装置は、前記携帯端末のナビゲーション機能が、ユーザの縮尺変更操作に応じて、前記ナビゲーション用画像の地図の縮尺を変更するものである場合には、前記選択制御手段において、前記ナビゲーション用画像の地図の縮尺が所定の縮尺より小さい場合に、前記表示ソースとして前記デジタルビデオデータを選択するように前記選択手段を制御するように構成することができる。
【００１３】
なお、このような車載装置は、前記携帯端末のナビゲーション機能は、ユーザのスクロール操作に応じて、前記ナビゲーション用画像の地図をスクロールするスクロール表示処理を行うものである場合には、前記選択制御手段において、前記ナビゲーション用画像の前記スクロール表示処理が行われている期間中、無条件に、前記表示ソースとして前記アナログビデオ信号を選択するように前記選択手段を制御するように構成することも好ましい。
【００１４】
このような車載装置によれば、ナビゲーション用画像の内容に応じて、前記アナログビデオ信号と前記デジタルビデオデータのいずれを前記表示ソースとして選択するかを制御するので、前記ナビゲーション用画像の内容が、ユーザが高解像度の表示を必要とする蓋然性の高い内容である場合にのみ、前記デジタルビデオデータが表すナビゲーション用画像を表示して、高解像度の要請に応えつつ、他の場合には、前記アナログビデオ信号が表すナビゲーション用画像を表示することにより、比較的超時間を要する前記デジタルビデオデータからのナビゲーション用画像を生成する処理によって生じる、ナビゲーション用画像の表示の遅延を抑止することができる。
【００１５】
また、前記課題達成のために、本発明は、地図上で現在位置を表すナビゲーション用画像を生成するナビゲーション機能を備え、前記ナビゲーション機能が生成したナビゲーション用画像を表すアナログビデオ信号と、前記ナビゲーション用画像を前記アナログビデオ信号よりも高解像度で表すデジタルビデオデータとを出力する携帯端末を接続する車載装置に、表示装置と、前記アナログビデオ信号と前記デジタルビデオデータの一方を表示ソースとして選択し、表示ソースが表すナビゲーション用画像を前記表示装置に表示する選択手段と、前記携帯端末のナビゲーション機能に対するユーザ操作が発生した後、所定の期間、前記表示ソースとして前記デジタルビデオデータを選択するように前記選択手段を制御する選択制御手段とを備えたものである。
【００１６】
ここで、前記携帯端末のナビゲーション機能に対するユーザ操作が発生した場合には、その後、操作結果を確認するためなどに、ユーザがナビゲーション用画像の表示内容を正確に把握しようとする蓋然性が高い。よって、このような前記携帯端末のナビゲーション機能に対するユーザ操作が発生した後、所定の期間、より解像度の高い前記デジタルビデオデータが表すナビゲーション用画像を表示する車載装置によれば、ユーザの携帯端末のナビゲーション機能に対する操作後のナビゲーション用画像の表示内容の正確な把握を容易化することができる。
【００１７】
また、前記課題達成のために、本発明は、地図上で現在位置を表すナビゲーション用画像を生成するナビゲーション機能を備え、前記ナビゲーション機能が生成したナビゲーション用画像を表すアナログビデオ信号と、前記ナビゲーション用画像を前記アナログビデオ信号よりも高解像度で表すデジタルビデオデータとを出力する携帯端末を接続する車載装置に、オーディオデータが表す音声を出力するオーディオ出力手段と、表示装置と、前記アナログビデオ信号と前記デジタルビデオデータの一方を表示ソースとして選択し、前記表示ソースが表すナビゲーション用画像を前記表示装置に表示する選択手段と、前記オーディオ出力手段が音声を出力している期間中、前記表示ソースとして前記アナログビデオ信号を選択するように前記選択手段を制御する選択制御手段を備えたものである。
【００１８】
このような車載装置によれば、デジタルビデオデータが表すナビゲーション用画像を表示するための処理が高負荷な処理である場合に、当該処理のために、前記オーディオ出力手段の音声主力の処理に遅延が生じ、当該音声出力に支障が生じることを抑止することができる。
【発明の効果】
【００１９】
以上のように、本発明によれば、ナビゲーション機能を備えた携帯端末を車載装置に接続して利用する際に、必要充分な品質でナビゲーション用画像を表示しつつ、当該ナビゲーション用画像の表示に遅延が生じないようにすることができる。
【図面の簡単な説明】
【００２０】
【図１】本発明の実施形態に係る車載装置と携帯端末の構成を示すブロック図である。
【図２】本発明の実施形態に係る車載装置の表示例を示す図である。
【図３】本発明の実施形態に係る車載装置における、ナビゲーション用画像表示処理を示すフローチャートである。
【発明を実施するための形態】
【００２１】
以下、本発明の実施形態について説明する。
図１に、本実施形態に係る車載装置と、車載装置に選択的に接続されて使用される携帯端末の構成を示す。
携帯端末１は、具体的にはユーザによって携帯されるスマートフォンなどであり、図示するように、ユーザに移動電話網を介した電話機能を提供する電話機能部１１、ポータブルプレイヤ部１２、ナビゲーション機能をユーザに提供するナビゲーション部１３、ビデオコーダ１４、コンポジット映像信号生成部１５、コンポジット映像信号出力インタフェース１６、ＵＳＢデバイスインタフェース１７、操作部１８、ディスプレイ１９、音声出力部２０とを備えている。
【００２２】
一方、車載装置３は、自動車に搭載される装置であり、図示するように、コンポジット映像信号入力インタフェース３１、ＵＳＢホストインタフェース３２、ミュージックプレイヤ部３３、音声処理部３４、スピーカ３５、ＡＤ変換部３６、ビデオデコーダ３７、ビデオセレクタ３８、液晶表示装置３９、入力装置４０、制御部４１とを備えている。
【００２３】
ここで、携帯端末１のコンポジット映像信号出力インタフェース１６と車載装置３のコンポジット映像信号入力インタフェース３１とをコンポジットＡＶケーブルで接続し、携帯端末１のＵＳＢデバイスインタフェース１７と車載装置３のＵＳＢホストインタフェース３２とをＵＳＢケーブルで接続することにより、携帯端末１は車載装置３に接続される。ここで、このように接続された携帯端末１のコンポジット映像信号出力インタフェース１６から車載装置３のコンポジット映像信号入力インタフェース３１には、アナログ映像信号であるNTSCなどのコンポジット映像信号を伝送することができる。また、このように接続された携帯端末１のＵＳＢデバイスインタフェース１７と車載装置３のＵＳＢホストインタフェース３２は、ＵＳＢの通信プロトコルを用いた相互通信であるＵＳＢ通信を行うことができる。
【００２４】
さて、このような構成において、携帯端末１の各部は、車載装置３に接続されていない状態では、以下の動作を行う。
すなわち、ポータブルプレイヤ部１２は、操作部１８の操作に応じて、携帯端末１に記憶されているオーディオファイルを再生し、音声出力部２０から出力する。
また、ナビゲーション部１３は、ナビゲーション用画像を生成し、ディスプレイ１９に表示する。ナビゲーション部１３は、通常は、ナビゲーション用画像として、地図上に現在位置や設定した目的地までの経路を表した画像を生成するが、設定されている目的地までの経路に従って右左折すべき交差点に現在位置が接近したときには、当該交差点を通過するまで、上述した画像と共に、当該右左折する交差点と当該交差点の上記経路に従った通過ルートを拡大して表した交差点拡大図を含めた画像をナビゲーション用画像として生成する。また、ナビゲーション部１３は、操作部１８の操作に応じて、ナビゲーション装置に含める地図の縮尺の変更や、目的地の設定及び目的地までの経路の設定や、ナビゲーション用画像に含める地図に対応する地理的範囲を漸次移動するスクロール表示処理も行う。
【００２５】
一方、携帯端末１の各部は、車載装置３に接続されている状態では、以下の動作を行う。
ポータブルプレイヤ部１２は、車載装置３の制御部４１から上述したＵＳＢ通信で通知されるユーザ操作に応じて、携帯端末１に記憶されているオーディオファイルを再生し、再生したオーディオデータをＵＳＢデバイスインタフェース１７を介して、車載装置３のＵＳＢホストインタフェース３２に送信する。
【００２６】
また、車載装置３の制御部４１から上述したＵＳＢ通信で通知されるユーザ操作に応じて、ナビゲーション部１３は、上述したナビゲーション用画像の生成を開始し、生成したナビゲーション用画像をビデオコーダ１４とコンポジット映像信号生成部に送り、ビデオコーダ１４は、ナビゲーション用画像を表す映像を、MPEGなどの所定の符号化方式で符号化して当該映像を表すデジタルビデオデータであるビデオストリームデータを生成し、ＵＳＢデバイスインタフェース１７を介して、車載装置３のＵＳＢホストインタフェース３２に送信し、コンポジット映像信号生成部１５は、ナビゲーション用画像を表す映像を表すアナログ映像信号であるNTSCなどのコンポジット映像信号を生成し、コンポジット映像信号出力インタフェース１６から車載装置３のコンポジット映像信号入力インタフェース３１に出力する。
【００２７】
また、ナビゲーション部１３は、車載装置３の制御部４１から上述したＵＳＢ通信を介して通知されるユーザ操作に応じて、ナビゲーション装置に含める地図の縮尺の変更や、目的地の設定及び目的地までの経路の設定や、ナビゲーション用画像に含める地図に対応する地理的範囲を漸次移動するスクロール表示処理を行う。
【００２８】
また、ナビゲーション部１３は、上述したＵＳＢ通信を介して車載装置３の制御部４１に、ナビゲーショ装置の状態を通知するための状態通知を送信する。すなわち、ナビゲーション部１３は、ナビゲーション用画像に含める地図の縮尺の変更時には当該変更の内容の通知を、ナビゲーション用画像の上述した交差点拡大図を含むナビゲーション用画像への変更時には当該変更の発生の通知を、ナビゲーション用画像の上述した交差点拡大図を含まないナビゲーション用画像への復帰時には当該復帰の発生の通知を、スクロール表示処理の実行の開始/終了時にはスクロール表示の開始/終了の通知を、状態通知として、ＵＳＢ通信を介して車載装置３の制御部４１に送信する。
【００２９】
次に、車載装置３の各部は、携帯端末１に接続されている状態では、以下の動作を行う。
すなわち、ＵＳＢホストインタフェース３２は、携帯端末１のＵＳＢデバイスインタフェース１７から受信したオーディオデータを音声処理部３４に送る。また、ミュージックプレイヤ部３３は、入力装置４０のユーザ操作に応じて行われる制御部４１の制御に従って、車載装置３に記憶されているオーディオファイルを再生し、再生したオーディオデータを音声処理部３４に送る。音声処理部３４は、入力装置４０のユーザ操作に応じて行われる制御部４１の制御に従って、ＵＳＢホストインタフェース３２やミュージックプレイヤ部３３から受け取ったオーディオデータが表す音声をスピーカ３５に出力する。
【００３０】
また、ＵＳＢホストインタフェース３２は、携帯端末１のＵＳＢデバイスインタフェース１７から受信したビデオストリームデータをビデオデコーダ３７に送り、ビデオデコーダ３７は受け取ったビデオストリームデータをデコードして、液晶表示装置３９の入力に適合するビデオデータ（たとえば、RGBビデオデータ）を生成し、ビデオセレクタ３８に送る。一方、ＡＤ変換部３６は、コンポジット映像信号入力インタフェース３１に携帯端末１のコンポジット映像信号出力インタフェース１６から入力するコンポジット映像信号を復調してデジタル化することにより、液晶表示装置３９の入力に適合するビデオデータ（たとえば、RGBビデオデータ）を生成し、ビデオセレクタ３８に送る。
【００３１】
ビデオセレクタ３８は、制御部４１によってコンポジット映像信号がソース映像として設定されているときには、ＡＤ変換部３６から受け取ったビデオデータを液晶表示装置３９に出力して当該ビデオデータが表す映像を液晶表示装置３９に表示し、制御部４１によってビデオストリームデータがソース映像として設定されているときには、ビデオデコーダ３７から受け取ったビデオデータを液晶表示装置３９に出力して当該ビデオデータが表す映像を液晶表示装置３９に表示する。
【００３２】
ここで、図２ａは、コンポジット映像信号がソース映像として設定されているときに液晶表示装置３９に表示される、コンポジット映像信号から生成したビデオデータが表すナビゲーション用画像を表したものであり、図２ｂは、ビデオストリームデータがソース映像として設定されているときに液晶表示装置３９に表示される、ビデオストリームデータから生成したビデオデータが表すナビゲーション用画像を表したものである。図示するように、ナビゲーション用画像には、地図２０１と、地図２０１上で現在位置を表す現在位置マーク２０２などが含まれる。
【００３３】
また、図示するように、ビデオストリームデータから生成したビデオデータが表すナビゲーション用画像とコンポジット映像信号から生成したビデオデータが表すナビゲーション用画像の表示内容は同じであるが、ビデオストリームデータから生成したビデオデータが表すナビゲーション用画像の方が、コンポジット映像信号から生成したビデオデータが表すナビゲーション用画像よりも高解像度に表示内容を表すものとなっている。
【００３４】
また、制御部４１は、入力装置４０で受け付けたユーザ操作を、ＵＳＢホストインタフェース３２を介して、上述したＵＳＢ通信により、携帯端末１の各部に送信する処理なども行う。
さて、このような構成において、制御部４１は、携帯端末１のナビゲーション部１３が生成したナビゲーション用画像の液晶表示装置３９への表示のために、以下に示すナビゲーション用画像表示処理を開始する。
【００３５】
図３に示すように、このナビゲーション用画像表示処理では、まず、コンポジット映像信号をソース映像として設定し（ステップ３０２）、コンポジット映像信号から生成したビデオデータが表すナビゲーション用画像を液晶表示装置３９に表示させ、ステップ３０４に進む。
【００３６】
そして、ステップ３０４に進んだならば、ナビゲーション用画像のスクロール表示中の発生と（ステップ３０４）、交差点拡大図の表示中の発生と（ステップ３０６）、広域地図表示中の発生と（ステップ３０８）、入力装置４０における携帯端末１のナビゲーション部１３に対するユーザ操作の発生（ステップ３１０）を調べる。
【００３７】
ここで、ナビゲーション用画像のスクロール表示中や、交差点拡大図の表示中や、広域地図表示中の有無は、携帯端末１のナビゲーション部１３からの上述した状態通知に基づいて検出する。なお、広域地図表示中は、携帯端末１のナビゲーション部１３からの状態通知で通知された地図縮尺より求まる現在のナビゲーション用画像の地図２０１の地図縮尺が所定の地図縮尺よりも小さい場合に広域地図表示中であると判定することにより検出する。また、ナビゲーション用画像のスクロール表示中は、入力装置４０において、ユーザからスクロール操作を受け付けているときに、スクロール表示中であると判定することにより検出するようにしてもよい。
【００３８】
そして、ナビゲーション用画像のスクロール表示中の発生と（ステップ３０４）、交差点拡大図の表示中の発生と（ステップ３０６）、広域地図表示中の発生と（ステップ３０８）、入力装置４０における携帯端末１のナビゲーション部１３に対するユーザ操作の発生と（ステップ３１０）の、いずれも発生していない場合には、ソース映像として、コンポジット映像信号をソース映像として設定し（ステップ３１２）、ステップ３０４に進む。
【００３９】
一方、ナビゲーション用画像のスクロール表示中が発生した場合には（ステップ３０４）、ソース映像として、コンポジット映像信号をソース映像として設定し（ステップ３１２）、ステップ３０４に進む。
また、交差点拡大図の表示中の発生と（ステップ３０６）、広域地図表示中の発生と（ステップ３０８）のうちのいずれかが発生した場合には、ビデオストリームデータをソース映像として設定し（ステップ３１４）、ビデオストリームデータから生成したビデオデータが表すナビゲーション用画像を液晶表示装置３９に表示させ、ステップ３０４に進む。
【００４０】
次に、携帯端末１のナビゲーション部１３に対するユーザ操作が発生した場合には（ステップ３１０）、ビデオストリームデータをソース映像として設定し（ステップ３１６）、ビデオストリームデータから生成したビデオデータが表すナビゲーション用画像を液晶表示装置３９に表示させる。そして、所定期間（たとえば、５秒）の経過を待ち（ステップ３１８）、ステップ３０４に進む。
【００４１】
以上、ナビゲーション用画像表示処理について説明した。
なお、以上のナビゲーション用画像表示処理においては、ステップ３１２の実行時に、コンポジット映像信号がソース映像として既に設定されている場合には、ステップ３１２においてコンポジット映像信号をソース映像として設定する処理は行わないようにしてもよい。また、同様に、ステップ３１４または３１６の実行時に、ソース映像として、ビデオストリームデータがソース映像として既に設定されている場合には、これらのステップにおいてビデオストリームデータをソース映像として設定する処理は行わないようにしてもよい。
【００４２】
さて、このようなナビゲーション用画像表示処理によれば、スクロール表示中は無条件にコンポジット映像信号から生成したビデオデータが表すナビゲーション用画像を表示する。図２ｃは、このようにしてスクロール表示中に表示されるナビゲーション用画像を示したものであり、図示するように、スクロール表示中に表示されるナビゲーション用画像は、比較的解像度の低い地図２０１を表したものとなり、ユーザのスクロール操作に応じて、このナビゲーション用画像の地図２０１がスクロールしていくものとなる。なお、図示した例は、スクロール表示中には、ナビゲーション用画像の中心に選択受付可能地点を示すカーソル２０３を配置するようにした場合のものである。
【００４３】
ここで、このようにスクロール表示中は無条件にコンポジット映像信号から生成したビデオデータが表すナビゲーション用画像を表示するのは、ナビゲーション用画像に含まれる地図２０１が連続的に変化するスクロール表示中は、ビデオストリームデータから成したビデオデータが表すナビゲーション用画像を表示する場合におけるナビゲーション用画像の表示の遅延による不具合がより大きく顕現化する一方で、スクロール表示中にはユーザがナビゲーション用画像に含まれる地図２０１の細部を知得しようとすることはないために、コンポジット映像信号から生成したビデオデータが表すナビゲーション用画像の解像度で、ユーザの用途に充分に応えられると考えられるからである。
【００４４】
そして、スクロール表示を行っていない期間中は、交差点拡大図の表示中であるか広域地図表示中であるかナビゲーション部１３に対するユーザ操作が行われてから所定期間経過するまでの期間中である場合にのみ、ビデオストリームデータから生成したビデオデータが表すナビゲーション用画像を表示し、他の場合には、コンポジット映像信号から生成したビデオデータが表すナビゲーション用画像を表示する。
【００４５】
ここで、このようにするのは、以下の理由によるものである。
すなわち、交差点拡大図の表示中は、ユーザがナビゲーション用画像の交差点拡大図を速やかかつ詳細に把握しようとする可能性が高いため、ビデオストリームデータから生成したビデオデータが表す高解像度で、より視認性に優れたナビゲーション用画像を表示するようにしたものである。
【００４６】
また、広域地図表示中である場合には、表示される地図の広域化に伴い地図２０１の表示内容が煩雑化し、高解像度なナビゲーション用画像でないと内容の判別が困難となる可能性があるため、ビデオストリームデータから生成したビデオデータが表す高解像度なナビゲーション用画像を表示するようにしたものである。
【００４７】
ここで、図３ｄは、交差点拡大図の表示中に表示されるナビゲーション用画像を表したものであり、このナビゲーション用画像は、交差点拡大図の表示を行っていないときに、ナビゲーション用画像として表示される、地図２０１に現在位置マーク２０２やルート２０４を表した画像２１０と、自動車が接近している交差点と当該交差点の通過ルートを拡大して表した交差点拡大図２２０とを高解像度で表示したものとなっている。また、図３ｅは、広域地図表示中のナビゲーション用画像を表したものであり、このナビゲーション用画像は、高解像度に、広域の地図２０１に現在位置マーク２０２等で表したものとなっている。
【００４８】
また、ナビゲーション部１３に対する何らかのユーザ操作が行われてから所定期間経過するまでの期間は、その後、操作結果を確認するためなどに、ユーザがナビゲーション用画像の表示内容を正確に把握しようとする蓋然性が高い。よって、このようにビゲーション部に対する何らかのユーザ操作が行われてから所定期間経過するまでの期間中、ビデオストリームデータから生成したビデオデータが表す高解像度で、より視認性に優れたナビゲーション用画像を表示することにより、ユーザの、携帯端末１のナビゲーション部１３に対する操作後のナビゲーション用画像の表示内容の正確な把握を容易化することができる。
【００４９】
そして、他の場合には、コンポジット映像信号から生成したビデオデータが表す比較的低解像度のナビゲーション用画像で、ユーザの用途に充分に応えられると考えられるため、コンポジット映像信号から生成したビデオデータが表すナビゲーション用画像を表示することにより、ナビゲーション用画像の表示の遅延を抑制するようにしたものである。
【００５０】
以上、本発明の実施形態について説明した。
なお、以上の実施形態は、コンポジット映像信号がソース映像として設定されている期間中は、ビデオデコーダ３７におけるビデオストリームデータのデコード及びビデオデータ生成の処理を停止するようにしてもよい。また、同様に、ビデオストリームデータがソース映像として設定されている期間中は、ＡＤ変換部３６におけるコンポジット映像信号からのビデオデータ生成の処理を停止するようにしてもよい。
ところで、以上の実施形態におけるナビゲーション用画像表示処理では、音声処理部３４において、ＵＳＢホストインタフェース３２やミュージックプレイヤ部３３から受け取ったオーディオデータが表す音声をスピーカ３５に出力しているときには、無条件に、ビデオデコーダ３７におけるビデオストリームデータのデコード及びビデオデータ生成の処理を停止すると共に、コンポジット映像信号をソース映像として設定し、コンポジット映像信号から生成したビデオデータが表すナビゲーション用画像を液晶表示装置３９に表示させるようにしてもよい。このようにすることにより、たとえば、音声処理部３４とビデオデコーダ３７を一つのＤＳＰやＣＰＵを用いて構成するといったように、ミュージックプレイヤ部３３や音声処理部３４の処理とビデオデコーダ３７の処理に同じリソースを共用する場合に、ビデオデコーダ３７における処理のために、音声処理部３４における処理に遅延等が生じて、スピーカ３５から出力する音声に音切れ等が生じることを抑止することができる。
【符号の説明】
【００５１】
１…携帯端末、３…車載装置、１１…電話機能部、１２…ポータブルプレイヤ部、１３…ナビゲーション部、１４…ビデオコーダ、１５…コンポジット映像信号生成部、１６…コンポジット映像信号出力インタフェース、１７…ＵＳＢデバイスインタフェース、１８…操作部、１９…ディスプレイ、２０…音声出力部、３１…コンポジット映像信号入力インタフェース、３２…ＵＳＢホストインタフェース、３３…ミュージックプレイヤ部、３４…音声処理部、３５…スピーカ、３６…ＡＤ変換部、３７…ビデオデコーダ、３８…ビデオセレクタ、３９…液晶表示装置、４０…入力装置、４１…制御部。
【図１】
2012078316.tif 000003
【図２】
2012078316.tif 000004
【図３】
2012078316.tif 000005